(57)【要約】  本発明は、自動車のステアリングコラムに対するデッドロックを有する盗難防止装置に関する。この盗難防止装置は、ロック手段と、デッドロック手段と、盗難防止装置ボディ（３）（９）とを備えている。ロック手段は、ロック解除位置とロック位置との間を移動可能なようになっているボルト（４）を備えている。ロック解除位置では、ボルトは、ステアリングコラムから離れた場所に位置し、ロック位置では、ボルトは、ステアリングコラムを不動に固定するようになっている。デッドロック手段は、ブロック要素を備え、ブロック要素は、ボルト（４）をロック位置にブロックするようになっている。ブロック要素は、ボルト（４）に向かって駆動され、デッドロック手段の解放要素（１１）によって、ボルトからはなれた位置に保持されている。盗難防止装置ボディ（３）（９）は、デッドロック手段とロック手段とを収容し、デッドロック手段は、解放要素（１１）を保護するための保護装置（１２）を備え、保護装置（１２）は、解放要素（１１）と盗難防止装置ボディ（３）（９）との間に配置され、これらの間にスクリーンを形成している。【選択図】図２
2015511555.tif 000002
【特許請求の範囲】
【請求項１】
自動車のステアリングコラムに対するデッドロックを有する盗難防止装置であって、
−  ステアリングコラムから離れた位置に置かれるようになっているロック解除位置と、前記ステアリングコラムを不動にしているロック位置との間を移動可能なように取り付けられているボルト（４）を備えるロック手段と、
−  ボルト（４）をロック位置にブロックするようになっているブロック要素を備え、このブロック要素は、前記ボルト（４）に向かって押圧されて、前記デッドロック手段の解放要素（１１）によって、ボルト（４）から離れた位置に保持されているデッドロック手段と、
−  前記デッドロック手段と前記ロック手段とを収容している盗難防止装置ボディ（３,９）とを備える盗難防止装置において、
前記デッドロック手段は、解放要素（１１）の保護装置（１２）を備え、この保護装置（１２）は、解放要素（１１）と盗難防止装置ボディ（３、９）との間に配置されて、それらの間に遮蔽体を形成していることを特徴とする盗難防止装置。
【請求項２】
保護装置（１２）は、少なくとも部分的に、解放要素（１１）の周囲に配置されている
ことを特徴とする、請求項１に記載の盗難防止装置。
【請求項３】
保護装置（１２）は、それ自体が閉じて回転軸に沿って延びている表面によって形成されていることを特徴とする、請求項２に記載の盗難防止装置。
【請求項４】
前記解放要素は、前記保護装置の前記回転軸と概ね共線形な主軸に沿って延びている
ことを特徴とする、請求項３に記載の盗難防止装置。
【請求項５】
前記解放要素の主軸と前記回転軸とは、一直線上に配置されていることを特徴とする、請求項４に記載の盗難防止装置。
【請求項６】
解放要素（１１）は、概ね細長い形状を有し、第１の自由端（１１ａ）は、前記ブロック要素の上を押圧して、前記ブロック要素をボルト（４）から離して保持し、第２の端部（１１ｂ）は、盗難防止装置（１）のロック（７）に固着するようになっていることを特徴とする、請求項１〜５のいずれか１項に記載の盗難防止装置。
【請求項７】
解放要素（１１）は、離脱ゾーンを有していることを特徴とする、請求項６に記載の盗難防止装置。
【請求項８】
解放要素（１１）の第２の端部（１１ｂ）は、ロック（７）の相補形状と係合する形状を有し、解放要素（１１）とロック（７）との間での、回転および並進移動における位置をブロックし、確定していることを特徴とする、請求項６または７に記載の盗難防止装置。
【請求項９】
前記第２の端部の形状と、前記ロックの形状とは、概ね、Ｈ形をなしていることを特徴とする、請求項８に記載の盗難防止装置。
【請求項１０】
盗難防止装置ボディ（３、９）は、第１の部分と第２の部分と、ロック（７）とを備え、ロック（７）は、盗難防止装置ボディの前記第２の部分（９）の中に挿入されるようになっており、盗難防止装置ボディの前記第１の部分（３）は、ロック手段（４）とデッドロック手段とを収容するようになっており、解放要素（１１）を保護するための前記装置（１２）は、少なくとも部分的に、解放要素（１１）と盗難防止装置ボディの第２の部分（９）との間にスクリーンを形成していることを特徴とする、請求項１〜９のいずれか１項に記載の盗難防止装置。
【請求項１１】
盗難防止装置ボディの前記第２の部分（９）は、プラスチック材料からなっていることを特徴とする、請求項９に記載の盗難防止装置。
【発明の詳細な説明】
【技術分野】
【０００１】
本発明は、自動車のステアリングコラム機構を安全に守るための盗難防止装置に関する。より詳細には、本発明は、デッドロック手段によってロックされるようになっている可動ボルトを使用した盗難防止装置に関する。
【背景技術】
【０００２】
盗難防止装置は、ロック手段を備え、このロック手段は、盗難防止装置ボディの中で、ロック解除位置とロック位置との間で移動可能なように取り付けられている可動ボルトを備えている。ロック解除位置では、可動ボルトは、ステアリングコラムから離れて位置するようになっており、ロック位置では、可動ボルトは、このステアリングコラムをロックするようになっている。このボルトは、盗難防止装置ボディの中に一体化された回転ロックを介して移動される。
【０００３】
安全性が強化された、いくつかの盗難防止装置は、不法の強制侵入が試みられた場合に、ボルトをロック位置にロックするようになっているデッドロック手段を更に備えている。悪意ある人間は、ロックを引き抜いて、ボルトにアクセスし、ステアリングコラムを解放して回転させるために、ボルトを機能不全にしようとする可能性がある。デッドロック手段が存在することによって、ロックが引き抜かれた後に、ボルトをそのロック位置に保持することができ、このような場合にも、ステアリングコラムは、回転がロックされた状態に保持される。
【０００４】
この目的のために、デッドロック手段は、ボルトをロック位置にブロックするようになっているブロック要素を備えている。このブロック要素は、デッドロック手段の解放要素の第１の端部によって、ボルトから離れた受動位置に保持される。解放要素の第２の端部は、ロックに止着されている。悪意ある人間によって、ロックが引き出された場合には、解放要素の第２の端部は、ロックに不動的に接続され、それにより活性化されて、ブロック要素を保持することはなく、ブロック要素は、ボルトに向かって移動して、ボルトをロック位置にブロックする。
【０００５】
しかし、現在、デッドロック盗難防止装置を攻撃するための新たな方法が存在している。例えば、「接着剤」攻撃が知られている。ロックを収容している盗難防止装置ボディは、一般に、プラスチックで作られている。そのため、接着剤攻撃では、解放要素の近くにおける盗難防止装置ボディの個所に、ドリルで孔あけを行う。次いで悪意のある窃盗者は、ドリルであけた孔に、接着剤を充填する。接着剤は、おおむねロッド状をしている解放要素を、盗難防止装置ボディに接着する。解放要素の一部が、盗難防止装置ボディに接着されると、ロックの破裂、および盗難防止装置ボディの残りの部分からロックが取り外されることによって、前記解放要素は、２つの部分に破壊し、その一方の部分は、盗難防止装置ボディに接着されたままになっている。この接着されている部分は、元の位置に残ったままであり、従って、デッドロック手段は、活性化されず、ボルトをロック位置にブロックすることはできない。
【０００６】
従って、窃盗者は、デッドロック手段を起動させるという危険性を犯すことなく、ロックを取り外すことができ、引き続き、ボルトを、ボルトの弾性復帰力に逆らって押し返すことにより、ロック手段を非活性にすることができる。
【発明の概要】
【発明が解決しようとする課題】
【０００７】
本発明の目的の一つは、使いやすく、悪意ある人間による攻撃に対して、特に、いわゆる「接着剤」攻撃に対して、優れた耐力を発揮する頑強な盗難防止装置を提供することである。
【課題を解決するための手段】
【０００８】
この目的ために、本発明は、自動車のステアリングコラムに対するデッドロックを有する盗難防止装置を提供するもので、この盗難防止装置は、次に示す要素を備えている。
−  ロック解除位置とロック位置との間を移動しうるように取り付けられているボルトを備え、ロック解除位置では、ボルトは、ステアリングコラムから離れた位置に置かれるようになっており、ロック位置では、ボルトは、ステアリングコラムを不動に固定するようになっているロック手段。
−  ボルトをロック位置にブロックするようになっており、かつボルトの後方向に押圧されて、デッドロック手段の解放要素によりボルトから離れた位置に保持されるようになっているブロック要素を備えるデッドロック手段。
−  デッドロック手段とロック手段とを収容している盗難防止装置ボディ。
また、本発明の盗難防止装置は、デッドロック装置が、解放要素を保護するための装置を備えていることを特徴としている。この保護装置は、解放要素と盗難防止装置ボディとの間に配置され、それらの間にスクリーンを形成している。
【０００９】
本発明の盗難防止装置は、次に示す特徴を、単独で、または組み合わせて備えている。
−  保護装置は、少なくとも部分的に、解放要素の周囲に配置され、これにより、解放要素に対してゼロでない角度に有する、ドリル穿孔、および接着剤攻撃に対して、保護することができる。
−  保護要素の表面は、回転軸に沿って延び、かつ閉じている面からなり、製造、および取り付けが容易である。
−  解放要素は、保護装置の回転軸と概ね共線形な主軸に沿って延び、そのため、ドリル穿孔によってアクセス可能と考えられる部分における解放要素の保護が可能である。
−  解放要素の主軸と、回転軸とは、一直線上に位置し、そのため、盗難防止装置の寸法を減少させることができる。
−  解放要素は、概ね、細長い形状を呈し、その第１の自由端は、ブロック要素を押圧して、ブロック要素を、ボルトから離れた位置に保持し、第２の端部は、盗難防止装置のロックに装着されるようになっている。
−  解放要素は離脱ゾーンを有し、そのため、解放要素に若干の荷重が加えられた場合でも、解放要素を破壊することができる。
−  解放要素の第２の端部は、ロックの相補形状と係合する形状を有し、そのため、解放要素の第２の端部は、回転、および、ロックと解放要素との間での、回転、および並進移動における位置を確実に保持することができる。これにより、前記ロックが引き出された場合には、ロックと解放要素とを、良好に結合させることができる。
−  ロックの第２の端部の形状とロックの形状とは、概ね、Ｈ形を呈している。
−  盗難防止装置ボディは、第１の部分と第２の部分とを備え、ロックは、盗難防止装置ボディの第２の部分の中に挿入されるようになっている。盗難防止装置ボディの前記第１の部分は、ロック手段とデッドロック手段とを収容するようになっている。解放要素を保護するための装置は、少なくとも部分的に、解放要素と盗難防止装置ボディの第２の部分との間にスクリーンを形成している。そのため、盗難防止装置ボディの製造と取り付けを、簡単に、かつ迅速に行うことができる。
−  盗難防止装置ボディの第２の部分は、プラスチック材料を備え、そのため、盗難防止装置ボディの製造を簡単にし、また、盗難防止装置ボディを軽量にすることができる。
【００１０】
接着剤攻撃を受けた場合に、本発明においては、盗難防止装置を保護するための装置は、盗難防止装置ボディにドリル穿孔された孔に注入された接着剤を、解放要素の代わりに受け取る。従って、解放要素は、無傷のまま残り、機能することができる。従って、ロックが引き抜かれた場合の、解放要素の並進運動が、接着剤によって妨げられることはない。このように、保護装置は、いわゆる「接着剤」攻撃に直面した場合に対して、簡単で、安価で、かつ小型な保護手段を実現し、盗難防止装置の不正操作防止性能を向上させることができる。
【００１１】
本発明の更なる利点および特徴は、添付の図面と共に、本発明の実施形態の非限定的な実施例の説明を読むことにより、明らかになると思う。
【図面の簡単な説明】
【００１２】
【図１】自動車用ステアリングコラムに対するデッドロック手段を有する盗難防止装置の１つの例の斜視図である。
【図２】図１に示す盗難防止装置から盗難防止装置ボディの第２部分を取り除いたものを示す図である。
【図３】図２に示す盗難防止装置ボディを示す図であり、盗難防止装置ボディの第１の部分と保護装置が取り除かれている。また、ボルトガイドは、透明として、デッドロック手段の動作がよく見えるようにしてある。
【図４】解放要素、および盗難防止装置を保護するための装置を示す斜視図である。
【発明を実施するための形態】
【００１３】
これらの図において、同一の要素には、同じ符号を付してある。
【００１４】
図１〜図４は、自動車のステアリングコラムに対するデッドロックを有する盗難防止装置１の実施形態の１つの例を示す。盗難防止装置１は、クランプカラーを備え、クランプカラーは、第１のハーフカラー２ａと第２のハーフカラー２ｂとを有している。これらのハーフカラーは、ステアリングコラム（図示せず）の周囲に組み立てられるようになっている。
【００１５】
第２のハーフカラー２ｂは、盗難防止装置ボディの第１の部分３の中に一体化されている。盗難防止装置ボディの第１の部分３は、ステアリングコラムをロックするための手段とデッドロック手段とを収容している。デッドロック手段は、盗難防止装置１に対して強制侵入が行われたたときに、ロック手段をロック位置にロックするようになっている。盗難防止装置ボディの第１の部分３は、例えば、ザマク（Ｚａｍａｋ）材料から作られており、ステアリングコラム上の位置において、強い機械的耐力を有し、ロック手段およびデッドロック手段を保護している
【００１６】
ロック手段は、ボルト４を備え、ボルト４は、盗難防止装置１のボルトガイド５によって、盗難防止装置ボディの第１の部分３の中で、ロック解除位置とロック位置との間を、摺動可能なように取り付けられている。ロック解除位置では、ボルトは、ステアリングコラムから離れて、後方後退位置にあり、ロック位置（図１〜図３）では、ボルトは、第２のハーフカラー２ｂから突出して、従来通りの要領で、ステアリングコラムの中に入り込むことにより、ステアリングコラムと係合し、これにより、ステアリングコラムをブロックするようになっている。ロック手段は、ボルト４を、ロック位置またはロック解除位置に駆動するようになっている手段（図示せず）を、更に備えている。この駆動手段の運動は、適切な鍵によって回転されられるロックロータ６の回転によって制御される。
【００１７】
ロックロータ６を収容しているロック７は、盗難防止装置１（図１）のボディの第２の部分９の中に挿入されて、そこに固定されるようになっている。盗難防止装置ボディの第２の部分９は、例えば、プラスチック材料からなっている。
【００１８】
盗難防止装置１のカムは、公知の要領で、ロックロータの後端部に固定されるようになっている。盗難防止装置ボディの第２部分９の中にロック７が装着された後には、ロックロータ６とカムとは、一緒になって回転し、カムの第１の部分は、駆動手段を駆動して、ボルト４を作動させる。
【００１９】
更に、デッドロック手段は、ボルト４をロック位置（図３）にブロックするようになっているブロック要素１０と、解放要素１１と、保護装置１２（図２）とを備えている。
【００２０】
本発明による盗難防止装置では、悪意ある人間がロック７を取り外した場合には、解放要素１１もまた、盗難防止装置から取り外される。従って、ブロック要素１０はボルト４をブロックする。
【００２１】
解放要素１１は、主軸に沿った細長い形状を有し、その第１の自由端１１ａは、ブロック要素１０を押圧してブロック要素１０をボルト４から離れた位置に保持するようになっており、また、第２の自由端１１ｂは、ロック７に固着するようになっている。これは、図３および図４において、より明確に見ることができる。１つの例として、前記解放要素は、ロッドの形状をしている。
【００２２】
解放要素１１は、テーパ部によって形成された離脱ゾーン１３を有することができる。離脱ゾーン１３は、特に、前記解放要素の主軸に沿って配置されている。離脱ゾーン１３は、離脱点を形成し、この離脱点によって、解放要素は、砕けやすくなっている。このように、デッドロック手段の解放感度を向上させることができる。
【００２３】
第２の端部１１ｂは、例えば、ロック７の相補形状と係合する形状を有しており、その形状のため、解放要素１１とロック７との間での、回転、および並進移動における位置を固定することができる。この形状は、概ねＨ形である。すなわち、概ね縦方向の平行な２つの軸と、これらの縦方向に平行な２つの軸と直交する横方向の１つの軸とで規定されている。
【００２４】
保護装置１２は、盗難防止装置ボディ３と解放要素との間に配置されており、少なくとも部分的に、解放要素１１および盗難防止装置ボディとの間にスクリーンを形成している。図示の例で具体的に説明すると、保護装置１２は、少なくとも部分的に、解放要素１１と盗難防止装置ボディの第２の部分９との間にスクリーンを形成している。
【００２５】
保護装置１２は、例えば、少なくとも部分的に、解放要素１１の周囲に配置されている。これにより、解放要素に関してゼロでない角度に沿って、ドリルで穿孔し接着剤を使用した攻撃に対して、防護することができる。解放要素１１は、板から構成されるか、および／または、例えば、閉じた形状をしている。また、少なくとも部分的に円筒形状で、回転することができる幾何形状を有していてもよい。
【００２６】
保護装置は、回転軸に沿って延び、かつ閉じた表面を有していれば、保護装置の製造、および設置を容易にすることができる。
【００２７】
解放要素は、保護装置の回転軸と概ね同一線上にある主軸に沿って延びている場合には、ドリルによるアクセス可能な解放要素の部分に対する保護を強化することができる。
【００２８】
この場合、解放要素の主軸と回転軸とは、一直線上に配置され、そのため、本発明においては、盗難防止装置の寸法を減少させることができる。
【００２９】
図２および図４は、保護装置１２の１つの例を示す。保護装置１２は、円筒形を有し、解放要素１１の周囲に配置されている。
【００３０】
保護装置１２は、それ自体が完全に閉じており、筒状を呈するようにすることができる。この筒形状の断面は、任意の形状でよく、例えば、円形、楕円形、正方形、長方形、三角形であってもよい。
【００３１】
保護装置１２は、表面が、それ自体が閉じている必要はなく、一部が開いたままであってもよい。保護装置１２が主軸を有する場合には、前記開口部を、前記主軸に沿って配置することができる。この場合には、保護装置は、解放要素と盗難防止装置ボディとの間に配置された固体部を有し、盗難防止装置ボディによる、任意のタイプの攻撃に対して、前記解放要素を保護することができる。
【００３２】
保護装置１２は、例えば、プラスチック製、または鋼製である。
【００３３】
受動的な位置では、ブロック要素１０は、解放要素１１の第１の自由端１１ａによって、離れた位置に保持されている。解放要素１１の第１の自由端１１ａは、前記ブロック要素１０を押圧して、保持している。ブロック要素１０は、ボルト４（図３）をブロックしていないので、受動的位置にある。
【００３４】
ロック７が悪意ある人物によって引き抜かれた場合には、第２の端部１１ｂがロック７に固定されている解放要素１１は、ロック７によって駆動される。ブロック要素１０は、もはや保持されず、並進移動して、ボルトをロック位置にブロックする。この目的のために、前記ブロック要素１０は、ボルト４の中に形成された空洞の中に収容される。
【００３５】
盗難防止装置ボディ９が、「接着剤」攻撃の意図のもとにドリルによって穿孔された場合には、保護要素１２は、解放要素１１の代わりに、盗難防止装置のボディに穿孔された開口に注入された接着剤を受け取る。これにより、解放要素１１は、無傷のままでいることができる。
【００３６】
従って、ロック７が引き出された場合には、解放要素１１は、もはや、保持されることはなく、ブロック要素１０を保持することはできなくなる。従って、ブロック要素１０は、ボルトをブロックすることができる。解放要素１１に対して保護スクリーンを形成している保護装置１２だけが、接着剤を受け取り、これにより接着されることになる。
【００３７】
悪意ある人物が、別の孔をあけたり、既にドリルであけられている孔を深くしようとした場合には、前記解放要素１１は、軽度の荷重で破壊するようになっている。解放要素１１の破壊によって、破壊された第２の端部１１ｂは、ロック７とともに剥離される。第１の自由端部１１ａは、ブロック要素１０に向かって押圧されないので、ブロック要素１０は、保持されず、従って、ボルトのロック位置に向かってのブロック要素１０の並進移動が駆動される。
【００３８】
従って、保護装置１２によって、簡単で、安価で、かつ小型な保護手段を提供することができ、特に、いわゆる「接着剤」攻撃に直面した場合に、盗難防止装置１の耐不正操作性を向上させることができる。
【符号の説明】
【００３９】
１  盗難防止装置
２  クランプカラー
２ａ、２ｂ  ハーフカラー
３  盗難防止装置ボディの第１の部分
４  ボルト
５  ボルトガイド
６  ロックロータ
７  ロック
９  盗難防止装置ボディの第２の部分
１０  ブロック要素  
１１  解放要素
１１ａ  解放要素の第１の自由端
１１ｂ  解放要素の第２の端部
１２  保護装置
１３  離脱ゾーン
【図１】
2015511555.tif 000003
【図２】
2015511555.tif 000004
【図３】
2015511555.tif 000005
【図４】
2015511555.tif 000006
【国際調査報告】
2015511555.tif 000007
2015511555.tif 000008
2015511555.tif 000009
2015511555.tif 000010